(57)【特許請求の範囲】
【請求項１】
反射面の一部に反射光が側壁と干渉する無効部分を生じる車両用信号灯具において、前記無効部分には反射光を前記側壁と略平行方向もしくはこの灯具の光軸方向として反射し、水平方向の断面で光源を略焦点とする放物線又は前記光源を第一焦点とし前記光軸の近傍を第二焦点とする楕円の何れかから成る補正反射面が設けられていることを特徴とする車両用信号灯具。
【請求項２】
前記反射面が複数のユニット反射面が複合された複合反射面であり、前記補正反射面がそれぞれのユニット反射面の前記無効部分に対して設けられていることを特徴とする請求項１記載の車両用信号灯具。
【発明の詳細な説明】
【０００１】
【発明の属する技術分野】
本発明は、ストップランプ、テールランプあるいはターンシグナルランプなど車両の信号用灯具に関するものであり、詳細には前記信号用灯具において照射効率を向上させるための反射面の構成に係るものである。
【０００２】
【従来の技術】
従来のこの種の車両用信号灯具の構成の例を、複合反射面９１を採用した車両用信号灯具９０の例で示すものが図５であり、複合反射面９１は前記車両用信号灯具９０の車両への取付状態における垂直方向の断面には光源９３を焦点とする放物面が表れ、図示の水平方向への断面には凸の円弧９２ａが表れるユニット反射面９２の複数個の複合とし形成されている。
【０００３】
このように形成することで、前記車両用信号灯具９０からの照射光は水平方向に拡散され、垂直方向には略平行光線に収束されるものとなり、車両用信号灯具９０に要求される配光特性をほヾ満足するものとなるので、レンズ９４に施すレンズカット（図示は省略する）は不要、もしくは、軽微なものとすることができ、透明感が高く、奥行感があり外観に優れる車両用信号灯具９０の実現を可能とするものである。
【０００４】
【発明が解決しようとする課題】
しかしながら、上記の構成とした車両用信号灯具９０においては、灯具の構成上で奥まった位置にある複合反射面９１（ユニット反射面９２）で水平方向に光を拡散するものであるので、反射光の一部が複合反射面９１とレンズ９４とを接続するために設けられている側壁９５に当接し、無効となる光を生じるものとなる。
【０００５】
このときに、前記ユニット反射面９２は、それぞれが水平方向への断面が凸の円弧９２ａとして形成されているものであるので、ユニット反射面９２の複数のものが無効となる光を生じるものとなり、これを更に詳細に観察すれば、複数のユニット反射面９２の上記した凸の円弧９２ａの一部に無効となる光を生じる無効部分９２ｂが存在するものとなる。
【０００６】
また、ユニット反射面９２の各々を観察してみると、図６に示すように、ユニット反射面９２同士を接続するための接続用側壁９６も必要となり、この接続用側壁９６に対しても反射光が当接する無効部分９２ｂも生じ、結果として、複合反射面９１を採用した車両用信号灯具９０においては、光源９３に対する光束利用率が低下し、暗い灯具となる問題点を生じ、この点の解決が課題とされるものとなっていた。
【０００７】
【課題を解決するための手段】
本発明は前記した従来の課題を解決するための具体的な手段として、反射面の一部に反射光が側壁と干渉する無効部分を生じる車両用信号灯具において、前記無効部分には反射光を前記側壁と略平行方向もしくはこの灯具の光軸方向として反射し、水平方向の断面で光源を略焦点とする放物線又は前記光源を第一焦点とし前記光軸の近傍を第二焦点とする楕円の何れかから成る補正反射面が設けられていることを特徴とする車両用信号灯具、及び、前記反射面が複数のユニット反射面が複合された複合反射面であり、前記補正反射面がそれぞれのユニット反射面の前記無効部分に対して設けられていることを特徴とする車両用信号灯具を提供することで課題を解決するものである。
【０００８】
【発明の実施の形態】
つぎに、本発明を図に示す実施形態に基づいて詳細に説明する。図１および図２に符号１で示すものは本発明に係る車両用信号灯具であり、図１は車両用信号灯具１の全体図、図２はその車両用信号灯具１の要部を拡大して示すの詳細図である。
【０００９】
この車両用信号灯具１は反射面が、車両用信号灯具１の車両への取付状態における垂直方向の断面には光源４を焦点とする放物面が表れ、水平方向への断面には凸の円弧３ａが表れるユニット反射面３の複数個の複合とされた複合反射面２として形成されるものである点は従来例のものと同様である。
【００１０】
従って、前記複合反射面２を構成するユニット反射面３の内には、前記複合反射面２とレンズ５とを接続させるための側壁６に反射光が当接してしまう無効部分３ｂを生じる可能性があり、また、ユニット反射面３同士を接続するための接続用側壁７に対しても無効部分３ｂを生じる可能性があるものである点も従来例のものと同様である。
【００１１】
本発明では前記側壁６および接続用側壁７による無効部分３ｂに対応する位置に補正反射面８を設けるものである。尚、以下の説明においては、側壁６による無効部分３ｂに設ける補正反射面８も、接続用側壁７による無効部分３ｂに設ける補正反射面８も設けるための手法は同一であるので、説明の煩雑化を避けるために特に異なる部分を除き両者は一括して説明する。
【００１２】
この実施形態においては前記補正反射面８は、水平方向の断面を光源４を略焦点とする放物線として形成される。形成時において、前記側壁６および接続用側壁７を含み前記複合反射面２は樹脂成形、プレス成形など金型で形成されるものであり、また金型の抜き方向Ｘは複合反射面２の光軸Ｚ（図１参照）と一致している場合が通常であるので、前記側壁６および接続用側壁７は光軸Ｚと略平行な状態となっている。
【００１３】
従って、従来は無効部分３ｂと成っていた部分を光源４を略焦点とする放物線とした補正反射面８で形成することで、この補正反射面８に当接した光源４からの光は前記側壁６および接続用側壁７と平行方向、言い換えれば、複合反射面２の光軸Ｚと平行方向に反射するものとなり、即ち、側壁６および接続用側壁７に当接することはなく照射方向へ向かうものとなり、光量の損失を生じないものとすることが可能となる。
【００１４】
尚、本発明においては、上記補正反射面８の水平方向断面に表れる形状は、上記の放物線に限定されるものではなく、図示は省略するが、例えば光源４を第一焦点とし、光軸Ｚの近傍を第二焦点とする楕円としても良く、この場合には、前記補正反射面８の反射光は、一旦、第二焦点に向かうものとなるので、上記と同様に側壁６および接続用側壁７に当接することはなくなる。
【００１５】
図３は本発明の別の実施形態であり、前の実施形態では複合反射面２は水平方向への断面にのみ凸の円弧が表れるユニット反射面３が複合されるものとして説明したが、この実施形態では水平方向の断面にも、垂直方向への断面にも凸の円弧９ａが表れる略方形のユニット反射面９が縦横に接続されて複合反射面２が形成されている。
【００１６】
この場合には各ユニット反射面９の垂直方向および水平方向の双方に側壁６、接続用側壁７の何れか、または双方が存在するものとなるので、上記した無効部分９ｂもユニット反射面９の上記二方向に生じるものとなる。従って、この実施形態の複合反射面２においては、補正反射面８は必要に応じて垂直方向および水平方向の二方向に設けられるものとなる。
【００１７】
図４は本発明の更に別の実施形態であり、上記の何れの実施形態も複合反射面２に対して実施した例で説明したが、本発明は反射面１０が例えば回転放物面１０ａなど一面で形成されている場合にも実施が可能である。例えば、車体への取付時の制約により、回転放物面の反射面１０であっても、この反射面１０の光軸Ｚと、金型からの抜き方向Ｘとが一致しない場合がある。
【００１８】
この場合には、側壁６は抜き方向Ｘに対し略平行として形成されるものとなるので、光軸Ｚと平行な反射光を生じる反射面１０の一部には無効部分１０ｂを生じるものとなる。従って、この実施形態においても前記無効部分１０ａに相当する部分に、例えば抜き方向Ｘと平行な光軸を有する回転放物面などの補正反射面８を形成すれば、この補正反射面８からの反射光は側壁６と平行方向となり当接が回避されて、光量の損失を生じないものとすることが可能となる。
【００１９】
【発明の効果】
以上に説明したように本発明により、無効部分には反射光を前記側壁と略平行方向もしくはこの灯具の光軸方向として反射し、水平方向の断面で光源を略焦点とする放物線又は前記光源を第一焦点とし前記光軸の近傍を第二焦点とする楕円の何れかから成る補正反射面が設けられている車両用信号灯具としたことで、従来は側壁に当接し灯具の照射光として使用されることのない無効部分の光も利用できるものとして、外観を損なうことなく明るい灯具の実現を可能とし、この種の車両用信号灯具の性能向上に極めて優れた効果を奏するものである。
【図面の簡単な説明】
【図１】  本発明に係る車両用信号灯具の実施形態を示す断面図である。
【図２】  同じ実施形態の要部を示す断面図である。
【図３】  同じく本発明に係る車両用信号灯具の別の実施形態を示す説明図である。
【図４】  同じく本発明に係る車両用信号灯具の更に別の実施形態を示す断面図である。
【図５】  従来例を示す断面図である。
【図６】  従来例を要部で示す断面図である。
【符号の説明】
１……車両用信号灯具
２……複合反射面
３、９……ユニット反射面
３ａ、９ａ……円弧
３ｂ、９ｂ……無効部分
４……光源
５……レンズ
６……側壁
７……接続用側壁
８……補正反射面
１０……反射面
１０ａ……回転放物面
１０ｂ……無効部分
Ｚ……光軸
Ｘ……抜き方向
【図１】
0004123564.tif 000002
【図２】
0004123564.tif 000003
【図３】
0004123564.tif 000004
【図４】
0004123564.tif 000005
【図５】
0004123564.tif 000006
【図６】
0004123564.tif 000007